(57)【要約】【課題】  被検者に負担を与えることなく、的確に検査を行える検眼装置を提供すること。【解決手段】  左右一対のレンズ室ユニットを持ち、検査窓に光学素子を切換え配置して被検眼の屈折力を自覚的に検査する検眼装置において、前記左右のレンズ室ユニットの間隔を変化させる移動手段と、該移動手段を駆動する指令信号を入力する指令手段と、前記左右のレンズ室ユニットに対して被検者の顔が所定の検査位置に位置していることを検出して検出信号を出力する検出手段と、前記指令手段からの指令信号に基づき前記移動手段を駆動制御する制御手段であって、前記検出手段から検出信号が出力されたときには、前記左右のレンズ室ユニットの間隔を狭くする移動動作を禁止する制御手段と、を備える。【選択図】      図４
2006014903.tif 000002
【特許請求の範囲】
【請求項１】
左右一対のレンズ室ユニットを持ち、検査窓に光学素子を切換え配置して被検眼の屈折力を自覚的に検査する検眼装置において、
前記左右のレンズ室ユニットの間隔を変化させる移動手段と、該移動手段を駆動する指令信号を入力する指令手段と、前記左右のレンズ室ユニットに対して被検者の顔が所定の検査位置に位置していることを検出して検出信号を出力する検出手段と、前記指令手段からの指令信号に基づき前記移動手段を駆動制御する制御手段であって、前記検出手段から検出信号が出力されたときには、前記左右のレンズ室ユニットの間隔を狭くする移動動作を禁止する制御手段と、を備えることを特徴とする検眼装置。
【請求項２】
請求項１の検眼装置において、前記制御手段が前記左右のレンズ室ユニットの間隔を狭くする移動動作を禁止する制御を解除する解除手段を設けたことを特徴とする検眼装置。
【請求項３】
左右一対のレンズ室ユニットを持ち、検査窓に光学素子を切換え配置して被検眼の屈折力を自覚的に検査する検眼装置において、
前記左右のレンズ室ユニットの間隔を変化させる移動手段と、該移動手段を駆動する指令信号を入力する指令手段と、前記移動手段の移動動作時に前記レンズ室ユニットが被検者の鼻に接触したことを検出して検出信号を出力する接触検出手段と、前記指令手段からの指令信号に基づき前記移動手段を駆動制御する制御手段であって、前記接触検出手段から検出信号が出力されたときには、前記移動手段の移動動作を停止する、または前記移動手段の移動動作を前記左右のレンズ室ユニットの間隔が広がる方向に駆動制御する制御手段と、を備えることを特徴とする検眼装置。
【発明の詳細な説明】
【技術分野】
【０００１】
本発明は、被検眼の屈折力を自覚的に検査する検眼装置に関する。
【背景技術】
【０００２】
検査窓を有する左右一対のレンズ室ユニットを持ち、検査窓に種々の光学素子を切換え配置して、被検眼の屈折力を自覚的に検査する検眼装置が知られている。この種の検眼装置においては、被検者の瞳孔間距離に合わせて検査窓の間隔を変えるために、左右のレンズ室ユニットを眼幅方向に移動させるスライド機構と、近用検査時や加入度検査時に被検眼の輻輳角に合わせるために、左右のレンズ室ユニットを輻輳させる輻輳機構が設けられている（特許文献１参照）。
【特許文献１】特開２００４−５７７４０号公報
【発明の開示】
【発明が解決しようとする課題】
【０００３】
ところで、上記の検眼装置を使用した検査では、被検者が検眼装置の額当てに顔を位置させ、検査窓の所定位置に眼を置くと、被検者の鼻は左右のレンズ室ユニットの間に位置されることになる。このとき、奥眼や鼻が高い被検者では、左右のレンズ室ユニットの間で鼻が検者側に突き出る格好となる。このような被検者を検査するとき、瞳孔間距離に合わせるために左右のレンズ室ユニットの間隔を狭くしたり、あるいは左右のレンズ室ユニットを輻輳させたりすると、被検者の鼻にレンズ室ユニットが接触し、被検者に負担を掛ける虞があった。また、検者がこれに気付かずに、そのまま検査を続けた場合には、検査結果が不正確になる。
【０００４】
本発明は、上記問題点を鑑み、被検者に負担を与えることなく、的確に検査を行える検眼装置を提供することを技術課題とする。
【課題を解決するための手段】
【０００５】
（１）  左右一対のレンズ室ユニットを持ち、検査窓に光学素子を切換え配置して被検眼の屈折力を自覚的に検査する検眼装置において、
前記左右のレンズ室ユニットの間隔を変化させる移動手段と、該移動手段を駆動する指令信号を入力する指令手段と、前記左右のレンズ室ユニットに対して被検者の顔が所定の検査位置に位置していることを検出して検出信号を出力する検出手段と、前記指令手段からの指令信号に基づき前記移動手段を駆動制御する制御手段であって、前記検出手段から検出信号が出力されたときには、前記左右のレンズ室ユニットの間隔を狭くする移動動作を禁止する制御手段と、を備えることを特徴とする。
（２）  （１）の検眼装置において、前記制御手段が前記左右のレンズ室ユニットの間隔を狭くする移動動作を禁止する制御を解除する解除手段を設けたことを特徴とする。
（３）  左右一対のレンズ室ユニットを持ち、検査窓に光学素子を切換え配置して被検眼の屈折力を自覚的に検査する検眼装置において、
前記左右のレンズ室ユニットの間隔を変化させる移動手段と、該移動手段を駆動する指令信号を入力する指令手段と、前記移動手段の移動動作時に前記レンズ室ユニットが被検者の鼻に接触したことを検出して検出信号を出力する接触検出手段と、前記指令手段からの指令信号に基づき前記移動手段を駆動制御する制御手段であって、前記接触検出手段から検出信号が出力されたときには、前記移動手段の移動動作を停止する、または前記移動手段の移動動作を前記左右のレンズ室ユニットの間隔が広がる方向に駆動制御する制御手段と、を備えることを特徴とする。
【発明の効果】
【０００６】
本発明によれば、被検者に負担を与えることなく、的確に検査を行える検眼装置を提供できた。
【発明を実施するための最良の形態】
【０００７】
以下、本発明の実施の形態を図面に基づいて説明する。図１は本実施の形態の検眼システム全体を示した概略図、図２は本実施の形態の検眼装置を検者側から見た外観概略図（近用検査時）である。
【０００８】
１は検眼装置本体であり、検眼装置本体１は左右対称な一対のレンズ室ユニット６０と、この左右のレンズ室ユニット６０を吊下げ支持する移動ユニット６と、を備える。移動ユニット６は、被検者の瞳孔間距離に合わせて検査窓６１の間隔を変えるために左右のレンズ室ユニット６０の間隔を調整するスライド機構、及び左右のレンズ室ユニット６０の輻輳角（打寄せ角）を調整する輻輳機構を有する移動手段４０（図６参照）を内部に持つ。
【０００９】
また、検眼装置本体１はテーブル１０に設けられている支持アーム４によってテーブル１０の上方に支持されている。１１はテーブルを上下動させるための上下動スイッチであり、このスイッチ１１を用いることによって、図示無き駆動手段によりテーブル１０の天板の高さ位置を調節するとともに、検眼装置本体１の高さを調節することができる。
【００１０】
２０は検眼装置本体１から所定距離（例えば１ｍ程度）だけ離れた位置に置かれ、遠用検査時に用いられる視標呈示装置である（図１では内部の概略構成を示している）。視標呈示装置２０は装置内部に種々の検査視標を提示する視標呈示手段２１、ビームスプリッタ２２、凹面ミラー２３等を備える。視標呈示手段２１によって出射される検査視標の光束は、ビームスプリッタ２２を透過した後、凹面ミラー２３で反射される。凹面ミラー２３で反射した視標光束は、ビームスプリッタ２２で反射され、窓２４を介して被検眼Ｅに向かう。
【００１１】
２は移動ユニット６に設けられている取付部材８に取り付けられているロッドである。ロッド２には、図２に示すように、検査視標が複数描かれている近用チャート３ａを持つ近用視標呈示ユニット３が、その長手方向に移動可能に取り付けられている。近用チャート３ａは近用視標呈示ユニット３の軸３ｂを中心に回転可能であり、その回転により呈示窓３ｃから所望の視標が呈示される。また、ロッド２上には検査窓６１に位置する被検眼Ｅから近用チャート３ａまでの距離（近用距離）が判るように目盛りが付されており、近用検査時に近用チャート３ａを被検眼Ｅから所望する距離に位置させておくことが可能となっている。また、取付部材８は取り付けられたロッド２を上側に折りたたみ可能な構成を有しており、近用検査時以外はロッド２を図１に示す位置に跳ね上げておくことによって、検査の邪魔とならないようにしている。９は検眼装置本体１や視標呈示装置２０を操作するためのコントローラである。コントローラ９には遠用検査や近用検査を自動的又は手動にて行うためのスイッチ等を備える。
【００１２】
図３はコントローラ９の構成を示す図である。３０は検眼情報を表示する液晶のディスプレイである。３１はスイッチ部であり、視標スイッチ群３２、プログラム検眼用のスタートスイッチ３３及び送りスイッチ３４、遠用検査モードと近用検査モードとを切り換える遠／近スイッチ３５、ファンクションスイッチ群３６、等を備える。ファンクションスイッチ群３６は、ディスプレイ３０の画面下方の所定位置に表示される種々のスイッチ表示に対応したものを選択するときに使用する。３７はダイヤル３８にてレンズ度数等を所定のステップで調節するためのダイヤル入力用スイッチである。３７ａは検査窓６１の位置を被検者の瞳孔間距離に合わせるためのＰＤスイッチであり、これを押した後、ダイヤル３８を回転させると、移動手段４０の駆動により左右のレンズ室ユニット６０の間隔を所定のステップで調整することができる。３７ｂは左右の検査窓６１を被検者の輻輳角に合わせるためのＡＤＤスイッチであり、これを押すと、移動手段４０の駆動により左右のレンズ室ユニット６０の輻輳角が調整される。このようなレンズ室ユニット６０の輻輳角調整は、近用検査や、被検者の加入度を測定する加入検査時に用いられる。
【００１３】
図４は被検者側から見たときの検眼装置本体１の概略図である。左右のレンズ室ユニット６０の筐体内部には、種々の多数の光学素子６５（レンズ等）を同一円周上に配置（保持）した複数のレンズディスク６４が回転可能に設けられている。また、図示するようにレンズ室ユニット６０は、その内側部分が大きく切り欠いた形状を有するディスクカバー６２ｂとレンズ室本体カバー６２ａとから構成される。ディスクカバー６２ｂとレンズ室本体カバー６２ａの間には、被検者の鼻にレンズ室ユニット６０が接触したことを検出する接触検出機構１１０が内蔵されている。
【００１４】
７０は被検者の額と当接する額当てであり、７１は額当て７０と移動ユニット６とを連結させるための連結部である。額当て７０は、被検者の頭部を保持し、被検眼の位置を固定する役割を持つ。移動ユニット６には、連結部７１を介して、被検者の額が額当て７０に当接した（被検者の顔が所定の検査位置に位置している）ことを検出する額検出機構７２が内蔵されている。
【００１５】
図５は、額検出機構７２の構成を説明する概略図である。７３は移動ユニット６内を挿通する送りネジであり、送りネジ７３の雄ネジ部分は連結部７１の雌ネジ部分と螺合する。送りネジ７３と螺合する連結部７１は、移動ユニット６の案内孔と嵌合する。７４は移動ユニット６内部に設けられたばねであり、送りネジ７３を介して連結部７１を被検者側へ付勢する。７５は送りネジ７３の検者側端部に固設された回転ノブである。連結部７１には溝７７があり、この溝７７と回転止め用のピン７６により連結部７１が回転するのを防止しているため、検者が回転ノブ７５を回転させると、連結部７１が送りネジ７３の回転軸方向に移動する。これにより、被検眼の角膜頂点と検査窓６１の距離（頂間距離）を調節する。７８は移動ユニット６に固設され、回転ノブ７５と嵌合部を有する取付部材である。
【００１６】
８０は送りネジ７３にフランジ８１を介して取り付けられた遮光板である。８２はフォトセンサであり、遮光板８０の挿脱を検出する役割を有する。額検出機構７２において、被検者の額が額当て７０に当接すると、連結部７１が検者側へ移動するので、連結部７１と螺合する送りネジ７３がばね７４の付勢力に逆らって検者側に移動する。これに伴い、遮光板８０が検者側に移動する（図中の実線部分）ので、フォトセンサ８２は遮光板８０を検出する。また、被検者の額が額当て７０から離れている時には、遮光板８０は図中の点線部分に位置され、フォトセンサ８２は遮光板８０を検出しない。このような構成により、被検者の額が額当て７０に当接したことを検出することができる。
【００１７】
なお、取付部材７８には被検者の額が額当て７０に当接したことを検者に知らせるためのランプ８５が取り付けられている。ランプ８５は、額検出機構７２からの出力信号に基づいて被検者の額が額当て７０から離れた時に点灯し、被検者の額が額当て７０に当接した時に消灯する。
【００１８】
図６は、移動ユニット６に設けられた移動手段４０のスライド機構及び輻輳機構を説明する図である。レンズ室ユニット６０を吊り下げる吊り下げ板４１には軸４２が固定され、軸４２はスライド台４３の孔４３ａに差し込まれており、輻輳動作のために回転自在になっている。また、４４は吊り下げ板４１を打寄せさせるための軸であり、軸４４はギア４５を介して互いに方向の異なるウォーム４６ａ，４６ｂに連結している。また、軸４４の先端には偏芯軸５１が取り付けられており、その偏芯軸５１の先端部分は吊り下げ板４１に形成されている溝４１ａに係合している。
【００１９】
また、ウォーム４６ａ，４６ｂはパルスモータ４７からなる駆動手段に連結されており、パルスモータ４７の回転によりウォーム４６ａ，４６ｂが回転する。このウォーム４６ａ，４６ｂの回転駆動により、ギア４５、軸４４を介して偏芯軸５１が回転し、吊り下げ板４１を輻輳させることができる。一方、スライド台４３は固定ガイド４８の軸方向にスライド可能であり、スライドのためのパルスモータ４９からなる駆動手段は、固定ガイド４８とともに図示なき固定ブラケットに固定されている。パルスモータ４９には互いに方向の異なるネジ５０ａ，５０ｂが連結されており、スライド台４３の雌ネジと係合していることから、パルスモータ４９を回転させることにより、２つのスライド台４３が互いに逆方向に移動する。このような機構を有する移動手段４０によって、左右のレンズ室ユニット６０（すなわち左右の検査窓６１）の間隔と輻輳の調整を行うことができる。
【００２０】
図７は、被検者の鼻と左右のレンズ室ユニット６０が接触したことを検出する接触検出機構１１０の要部を説明する概略断面図である。ディスクカバー６２ｂの上端部は、逆Ｕ字形状の断面をした係止部６６を有し、レンズ室本体カバー６２ａに設けられた被係止部９１に引っかけられるようになっている（図７（ａ）参照）。これにより、ディスクカバー６２ｂは被係止部９１の回転軸を中心にわずかながら回動可能となる。なお、レンズ室本体カバー６２ａとディスクカバー６２ｂ本体との間には、約０．５ｍｍ程度の隙間が形成されている。また、図７（ｂ）において、ディスクカバー６２ｂの下端部は、止めネジ９２により押圧部材９３と連結する連結部６７を有する。連結部６７と連結する押圧部材９３は、真ん中部分の小径部９３ａと、外部と面する大径部９３ｂ、装置側の大径部９３ｃと、からなる。小径部９３ａと装置側の大径部９３ｃは、止めネジ９５により連結されている。一方、レンズ室本体カバー６２ａには凹部１００が設けられ、凹部１００の底部にはガイド孔１０１が設けられている。押圧部材９３は、凹部１００とガイド孔１０１と嵌合し、軸方向に移動可能となる。また、レンズ室本体カバー６２ａの凹部１００と、押圧部材９３の小径部９３ａとの中空部分には、ばね９６が介在しており、押圧部材９３を介してレンズ室本体カバー６２ａに外部方向への付勢力を与えている。１１１はマイクロスイッチであり、押圧部材９３により押圧されると、検出信号を発する。
【００２１】
ここで、被検者の鼻とレンズ室ユニット６０が接触すると、ディスクカバー６２ｂに対して抗力が加わる。これにより、ディスクカバー６２ｂは、被係止部９１の回転軸を中心にわずかながら回動する。そして、ディスクカバー６２ｂの下端側において、連結部６７と連結する押圧部材９３がばね９６の付勢力に逆らって装置側に移動する。このような作用により、押圧部材９３の大径部９３ｃがマイクロスイッチ１１１の検出部を押圧すると、マイクロスイッチ１１１から検出信号を発せられる。このような構成によれば、被検者の鼻とレンズ室ユニット６０が接触したことを検出できる。
【００２２】
以上のような構成を備える装置において、その動作を図８に示す制御系のブロック図をもとに説明する。まず、他覚式眼屈折力測定装置５８により他覚測定データ（球面度数、乱視度数、乱視軸角度）及び瞳孔間距離が得られているときは、コントローラ９のスイッチ部３１を操作して、その測定データを入力する。他覚式眼屈折力測定装置５８からのデータは、リレーユニット１２を介して検眼装置本体１のマイクロコンピュータ部５７及びコントローラ９のマイクロコンピュータ部５５に送られる。瞳孔間距離データが入力されると、マイクロコンピュータ部５７は、入力された瞳孔間距離データに基づいてモータ４９を駆動制御し、左右のレンズ室ユニット６０をスライド移動させる。瞳孔間距離データの入力は、レンズ室ユニット６０をスライド移動させる指令信号とされる。
【００２３】
このとき、被検者の額が額当て７０に当接していると、被検者の顔が検査位置にあること、すなわち、鼻がレンズ室ユニット６０の間にあることが額検出機構７２により検出される。マイクロコンピュータ部５７は、フォトセンサ８２からの検出信号が入力されているときは、左右のレンズ室ユニット６０の間隔を狭くする方向への移動を禁止する。これにより、被検者の鼻がレンズ室ユニット６０に挟まれ、接触することを回避できる。また、マイクロコンピュータ部５７は、ランプ８５を点灯状態から消灯状態へ切り替える。これにより、検者は被検者の額が額当て７０に当接し、被検者の顔が所定の検査位置にあることを確認できる。
【００２４】
他覚測定データの瞳孔間距離データを基に左右のレンズ室ユニット６０の間隔が調整された後も、被検者の瞳孔間距離と左右の検査窓６１の間隔が異なっている場合には、さらに左右のレンズ室ユニット６０を被検眼の瞳孔間距離に合わせて移動させる必要がある。この場合、検者はコントローラ９のＰＤスイッチ３７ａを押した後、ダイヤル３８を回転させ、左右のレンズ室ユニット６０の間隔を変化させる指令信号を入力する。この場合も、額検出機構７２のフォトセンサ８２からの検出信号があると、マイクロコンピュータ部５７は、左右のレンズ室ユニット６０の間隔を狭くする方向への移動を禁止する。これにより、被検者の鼻が左右のレンズ室ユニット６０に挟まれることを事前に防止することができる。また、フォトセンサ８２からの検出信号があり、レンズ室ユニット６０の間隔を変化させる指令信号がコントローラ９から入力された場合には、マイクロコンピュータ部５５は、ディスプレイ３０に鼻を挟む恐れがある旨の表示を行うとともに、被検者の顔を一端装置から離して操作するような旨の表示を行う。
【００２５】
なお、上記の左右のレンズ室ユニット６０の間隔を変化させる移動動作において、左右のレンズ室ユニット６０の間隔を広げる方向へ移動させる場合には、被検者の鼻がレンズ室ユニット６０に挟まれることはないので、マイクロコンピュータ部５７はその移動については禁止をせずに、そのまま移動させても良い。
【００２６】
また、近用検査（加入度検査）を行う際には、図２に示したように、近用視標呈示ユニット３を所定位置に配置し、近用チャート３ａの距離に応じて左右のレンズ室ユニット６０を輻輳させる。遠／近スイッチ３５を押して近用モードに切替えると、あるいはＡＤＤスイッチ３７ｂを押すと、予め定められた近用距離に左右のレンズ室ユニット６０を輻輳させる指令信号が入力される。この時、ファンクションキー３６は５ｃｍごとに近用距離（例えば、３５ｃｍ、４０ｃｍ、４５ｃｍ、最大は７０ｃｍまで）を入力できるようになり、これにより近用距離を入力すると、入力された近用距離に応じて輻輳角を調整する指令信号が入力される。この輻輳時においても、左右のレンズ室ユニット６０は、その間隔が狭まる方向に移動されることになる。なお、近用検査時においては、左右の検査窓６１の間隔は近用瞳孔間距離（遠用瞳孔間距離よりも狭い）に調整され、さらに、輻輳動作が行われるので、左右のレンズ室ユニット６０の間隔はより狭くなる。したがって、この輻輳動作時においても、同様の制御を行う。すなわち、輻輳動作においても、額検出機構７２から検出信号が入力されている時には、マイクロコンピュータ部５７は左右のレンズ室ユニット７２を狭くする動作を禁止する。これにより、被検者の鼻が左右のレンズ室ユニット６０に挟まれることを事前に防止することができる。
【００２７】
上記のような制御において、額検出機構７２からの検出信号は、被検者の鼻が左右のレンズ室ユニット６０の間に位置しているかどうか非接触状態で判定するために利用される。被検者の鼻が左右のレンズ室ユニット６０の間に位置しているかどうかを検出する手段としては、被検者の顔と検眼装置本体１との距離を検出する測距センサの測距信号を用いても良い。あるいは、図９に示すように、左右のレンズ室ユニット６０の一方に発光素子１２０を設け、他方にフォトセンサ１２１を設け、被検者の鼻によってセンサ光が遮断された時の検出信号を用いてもよい。
【００２８】
なお、左右のレンズ室ユニット６０の間隔を狭くしたい場合には、検者は、ディスプレイ３０の表示に従い、被検者の顔を装置から遠ざけるよう指示し、ランプ８５が点灯することを確認した後、コントローラ９を操作して、レンズ室ユニット６０の間隔を調節する。レンズ室ユニット６０の間隔を広くする動作においては、その動作は禁止されず、そのまま駆動制御が行われる。また、レンズ室ユニット６０の間隔をいったん広くした後に、間隔を狭くするような動作を行う場合には、初めに他覚測定データの瞳孔間距離データに基づいて調整された間隔までは、狭くできるようにしてもよい。
【００２９】
また、検者の判断で、鼻を挟まないと思われる場合には、額検出機構７２による検出信号があってもレンズ室ユニット６０の間隔を狭くする動作を行えるよう、ファンクションキー３６等に禁止動作を解除する信号を入力する機能を持たせておくと都合が良い。すなわち、通常は、極端に瞳孔間距離が狭い被検者、奥眼の被検者、あるいは鼻が極めて高い被検者の場合に、レンズ室ユニット６０が鼻に接触する可能性があるので、十分に接触しないと判定できる被検者においては、この禁止動作を解除しておいても問題なく、検査を効率よく進めることができる。
【００３０】
ここで、レンズ室ユニット６０の間隔を狭くする動作を禁止する制御を解除していた場合、あるいは額検出機構７２による検出が十分でなかったり、装置にエラーが生じたりしたような場合には、図７に示した接触検出機構１１０が有効となる。すなわち、瞳孔間距離を調整するために、又はレンズ室ユニット６０を輻輳させるために、左右のレンズ室ユニット６０を狭める方向に移動させた時、被検者の鼻にレンズ室ユニット６０が接触すると、マイクロスイッチ１１１の検出信号が出力される。マイクロコンピュータ部５７は、マイクロスイッチ１１１の検出信号があると、移動手段４０のパルスモータ４７やパルスモータ４９の駆動を停止する。より好ましくは、レンズ室ユニット６０の間隔を広げる方向に、各モータを瞬時に逆回転させる。これにより、被検者の鼻とレンズ室ユニット６０が接触したことによる、被検者への負担や不快感を低減することができる。このような被検者を検査する場合には、鼻がレンズ室ユニット６０に接触しない位置となるまで、額当て７０を被検者側に移動させた状態で検査すれば良い。この状態での屈折力検査においては、レンズ室ユニット６０内のレンズと被検眼角膜との角膜頂点間距離が、通常距離（例えば、１２ｍｍ）から変化するが、その変化分に基づいて検査された屈折力度数を補正する処理を行うことで、正確な検査に対処できる。
【図面の簡単な説明】
【００３１】
【図１】本実施の形態の検眼システム全体を示した概略図である。
【図２】本実施の形態の検眼装置を検者側から見た外観概略図（近用検査時）である。
【図３】コントローラの構成を示す図である。
【図４】被検者側から見たときの検眼装置本体の概略図である
【図５】額検出機構の構成を説明する概略図である。
【図６】移動ユニットに設けられた移動手段のスライド機構及び輻輳機構を説明する図である。
【図７】被検者の鼻と左右のレンズ室ユニットが接触したことを検出する接触検出機構の要部を説明する概略断面図である。
【図８】本実施の形態の検眼システム全体における制御系のブロック図である。
【図９】左右のレンズ室ユニットの一方に発光素子を設け、他方にフォトセンサを設けた構成を説明する図である。
【符号の説明】
【００３２】
１  検眼装置本体
９  コントローラ
３１  スイッチ部
３５  遠／近スイッチ
３７ａ  ＰＤスイッチ
３７ｂ  ＡＤＤスイッチ
３８  ダイヤル
４０  移動手段
５７  マイクロコンピュータ部
６０  レンズ室ユニット
６１  検査窓
７２  額検出機構
１１０  接触検出機構
【図１】
2006014903.tif 000003
【図２】
2006014903.tif 000004
【図３】
2006014903.tif 000005
【図４】
2006014903.tif 000006
【図５】
2006014903.tif 000007
【図６】
2006014903.tif 000008
【図７】
2006014903.tif 000009
【図８】
2006014903.tif 000010
【図９】
2006014903.tif 000011